(57)【要約】【課題】紐端部に小さな力で容易に取り付けることができ、且つ、紐部材の保持強度を向上できるコードエンドストッパーを提供すること。【解決手段】コードエンドストッパー１は、筒状のソケット１０と、ソケット１０に挿入されて紐端部２Ａを係止するプラグ２０とを備える。ソケット１０の内周面１５には雌ネジ部１７が形成される。プラグ２０は、紐端部２Ａを挟み込む二つの係止片部２１Ａ，２１Ｂと、係止片部２１Ａ，２１Ｂを互いに接近可能に連結した連結部２３とを有する。プラグ２０には、雌ネジ部に螺合する雄ネジ部２９が形成される。【選択図】図１
0003219233.tif 000002
【実用新案登録請求の範囲】
【請求項１】
筒状のソケット（１０）と、前記ソケット（１０）に挿入されて紐端部（２Ａ）を係止するプラグ（２０）とを備えており、
前記ソケット（１０）の内周面（１５）には第一螺合部（１７）が形成されており、
前記プラグ（２０）は、前記紐端部（２Ａ）を挟み込む少なくとも二つの係止片部（２１Ａ，２１Ｂ）と、前記二つの係止片部（２１Ａ，２１Ｂ）を連結した連結部（２３）とを有しており、
前記プラグ（２０）には、前記第一螺合部（１７）に螺合する第二螺合部（２９）が形成されている
ことを特徴とするコードエンドストッパー。
【請求項２】
前記係止片部（２１Ａ，２１Ｂ）に前記第一螺合部（１７）に螺合する第二螺合部（２９）が形成されている
ことを特徴とする請求項１に記載のコードエンドストッパー。
【請求項３】
前記連結部（２３）は、前記係止片部（２１Ａ，２１Ｂ）の基端（２２Ｂ）を連結しており、
前記第二螺合部（２９）は、前記係止片部（２１Ａ，２１Ｂ）の外面（２５Ｂ）のうち前記ソケット（１０）に対する差込先端（２２Ａ）から前記基端（２２Ｂ）側に間隔を隔てて配置されている
ことを特徴とする請求項１または請求項２に記載のコードエンドストッパー。
【請求項４】
前記係止片部（２１Ａ，２１Ｂ）は前記プラグ（２０）の軸方向に直交する断面において円弧状に形成されており、
前記係止片部（２１Ａ，２１Ｂ）には、その内面（２５Ａ）から突出した係止突起（２６，２７）が形成されている
ことを特徴とする請求項１から請求項３のいずれか一項に記載のコードエンドストッパー。
【請求項５】
前記各係止片部（２１Ａ，２１Ｂ）には、その内面（２５Ａ）から突出した複数の係止突起（２６，２７）が形成されており、
前記複数の係止突起（２６，２７）は、前記プラグ（２０）の周方向における位置が互いに異なっている
ことを特徴とする請求項１から請求項４のいずれか一項に記載のコードエンドストッパー。
【考案の詳細な説明】
【技術分野】
【０００１】
本考案は、ストラップ、ロープ等の紐部材（コード）の紐端部に取り付けられるコードエンドストッパーに関する。
【背景技術】
【０００２】
従来、一対の挟持部を有した紐止め具本体と、紐止め具本体に係止される筒状のキャップとを備えた紐止め具が知られている（特許文献１参照）。この紐止め具では、一対の挟持部の間に紐部材の端部を挟み込み、一対の挟持部をキャップに差し込むことで紐部材を挟持することによって紐止め具の端部に取り付けられる構成となっている。
【先行技術文献】
【特許文献】
【０００３】
【特許文献１】特開２０１１−２３４８２２号公報
【考案の概要】
【考案が解決しようとする課題】
【０００４】
ところで、特許文献１に記載の紐止め具では、例えば紐部材が硬く形成されている場合には、紐止め具本体の一対の挟持部を互いに接近させるために大きな力が必要となり、一対の挟持部をキャップに差し込みにくいので、紐止め具を紐部材の紐端部に取り付けることが困難である。
また、例えば紐部材がロープ等によって太く形成されている場合であっても、このような太い紐部材を保持し続けられる強度があるのが望ましい。
【０００５】
本考案の目的は、紐端部に小さな力で容易に取り付けることができ、且つ、紐部材の保持強度を向上できるコードエンドストッパーを提供することにある。
【課題を解決するための手段】
【０００６】
本考案のコードエンドストッパーは、筒状のソケットと、前記ソケットに挿入されて紐端部を係止するプラグとを備えており、前記ソケットの内周面には第一螺合部が形成されており、前記プラグは、前記紐端部を挟み込む少なくとも二つの係止片部と、前記二つの係止片部を連結した連結部とを有しており、前記プラグには、前記第一螺合部に螺合する第二螺合部が形成されていることを特徴とする。
本考案のコードエンドストッパーによれば、筒状のソケットに紐部材を挿通し、挿通した紐端部をプラグの二つの係止片部の間に挟み込み、この状態でソケットに二つの係止片部を挿入しながら回転して第一螺合部に第二螺合部を螺合させることで、紐端部を係止する。プラグをソケットに螺合によって結合するので、例えばソケットにプラグを差し込んで嵌着させるタイプのコードエンドストッパーと比べて、小さな力でプラグをソケットに結合することができる。このため、コードエンドストッパーを紐端部に小さな力で容易に取り付けることができる。
また、プラグがソケットに螺合によって結合するので、例えばロープ等によって太く形成された紐部材が引っ張られても、プラグおよびソケットの結合状態を維持でき、一対の係止片部における紐端部の係止状態を維持し続けることができる。
【０００７】
本考案のコードエンドストッパーでは、前記係止片部に前記第一螺合部に螺合する第二螺合部が形成されていてもよい。
このような構成によれば、係止片部において紐端部を係止し且つ第二螺合部を第一螺合部に螺合することができるので、係止片部のほかに第二螺合部を有した片部を更に備える必要がなく、構成を簡略化できる。
【０００８】
本考案のコードエンドストッパーでは、前記連結部は、前記係止片部の基端を連結しており、前記第二螺合部は、前記係止片部の外面のうち前記ソケットに対する差込先端から前記基端側に間隔を隔てて配置されていてもよい。
このような構成によれば、係止片部の間に紐端部を挟み込んだ状態でプラグをソケットに差し込むことで、係止片部によって紐端部を係止した状態にでき、この状態のままソケットをプラグに対して回転させることで、ソケットおよびプラグを螺合によって結合することができる。このように、ソケットおよびプラグを螺合によって結合する前段階で紐端部を係止した状態にできるので、コードエンドストッパーの紐端部への取付作業性を向上することができる。
【０００９】
本考案のコードエンドストッパーでは、前記係止片部は前記プラグの軸方向に直交する断面において円弧状に形成されており、前記係止片部には、その内面から突出した係止突起が形成されていてもよい。
このような構成によれば、係止片部の係止突起が紐端部にくい込みつつ、各係止片部の円弧状の内面が紐端部の周面に沿って位置して当該紐端部を囲み込む。このように紐端部を囲い込むので当該紐端部がプラグの軸方向に直交する方向へ揺動することを抑えることができ、コードエンドストッパーの取付状態をより安定させることができる。
【００１０】
本考案のコードエンドストッパーでは、前記各係止片部には、その内面から突出した複数の係止突起が形成されており、前記複数の係止突起は、前記プラグの周方向における位置が互いに異なっていてもよい。
このような構成によれば、各係止片部における複数の係止突起の位置を、プラグの周方向に沿って異ならせることで、係止突起によって係止する紐端部の周方向領域を拡げることができ、係止状態をより強固にできる。
【考案の効果】
【００１１】
本考案によれば、紐端部に小さな力で容易に取り付けることができ、且つ、紐部材の保持強度を向上できるコードエンドストッパーを提供することができる。
【図面の簡単な説明】
【００１２】
【図１】本考案の実施形態に係るコードエンドストッパーを示す斜視図。
【図２】前記実施形態に係るコードエンドストッパーを示す側面図。
【図３】前記実施形態に係るコードエンドストッパーのプラグを示す斜視図。
【図４】前記実施形態に係るコードエンドストッパーのプラグ差込状態を示す側面図。
【図５】前記実施形態に係るコードエンドストッパーのプラグ螺合状態を示す側面図。
【図６】図５に示すＶＩ−ＶＩ線に沿った断面図。
【考案を実施するための形態】
【００１３】
［本実施形態の構成］
以下、本考案の実施形態を図面に基づいて説明する。
図１および図２において、本実施形態に係るコードエンドストッパー１は、紐部材２（コード）の端部処理のために紐端部２Ａに取り付けられるものであり、紐端部２Ａが挿入される筒状のソケット１０と、ソケット１０内に挿入されて紐端部２Ａを係止するプラグ２０とを備えている。ソケット１０およびプラグ２０は合成樹脂製である。
【００１４】
ソケット１０は、紐端部２Ａが挿入される紐用開口１１と、プラグ２０が挿入されるプラグ用開口１２と、紐用開口１１およびプラグ用開口１２に連通され且つ紐用開口１１から挿入された紐端部２Ａを所定長さにわたって収容する収容部１３とを有している。
【００１５】
ソケット１０では、紐用開口１１側の端部内周面１５Ａと、プラグ用開口１２側の端部内周面１５Ｂと、端部内周面１５Ａ，１５Ｂの間にある中間内周面１５Ｃとが連続して一つの内周面１５を形成しており、この内周面１５によって収容部１３を形成している。端部内周面１５Ａの径寸法ＤＡ１は中間内周面１５Ｃの径寸法ＤＡ３よりも小さい寸法とされており、端部内周面１５Ｂの径寸法ＤＡ２は中間内周面１５Ｃの径寸法ＤＡ３よりも大きい寸法とされている。
【００１６】
中間内周面１５Ｃは、後述する差込部２８が配置される被差込部１６と、被差込部１６に対してプラグ用開口１２側に位置した第一螺合部としての雌ネジ部１７とを有している。本実施形態では、雌ネジ部１７の軸方向Ｘに沿った長さ寸法ＬＢ１は、被差込部１６の軸方向Ｘに沿った長さ寸法ＬＡ１と略同じ寸法とされているが、これに限られず、雌ネジ部１７に後述する雄ネジ部２９が螺合することでプラグ２０およびソケット１０の十分な結合強度を得られる程度の長さ寸法とされていればよい。
【００１７】
プラグ２０は、プラグ用開口１２から収容部１３に挿入される一対の係止片部２１Ａ，２１Ｂと、係止片部２１Ａ，２１Ｂの基端２２Ｂを連結した連結部２３とを有している。
【００１８】
係止片部２１Ａ，２１Ｂは、プラグ２０の軸方向Ｘ（コードエンドストッパー１の軸方向）に直交する径方向において互いに対向して配置されている。プラグ２０単体では、図３に示すように、係止片部２１Ａ，２１Ｂは基端２２Ｂ側よりも差込先端２２Ａ側が開いた状態となるが、説明の便宜上、図１および図２では差込先端２２Ａ同士が接近した状態を示す。
【００１９】
係止片部２１Ａは、軸方向Ｘに沿って延びた円弧板部２５と、円弧板部２５の内面２５Ａから径方向内側に突出した複数の係止突起２６，２７とを有している。また、円弧板部２５の外面２５Ｂは、ソケット１０の収容部１３に差し込まれる差込部２８と、差込部２８に対して連結部２３側に位置した第二螺合部としての雄ネジ部２９とを有している。雄ネジ部２９は、プラグ２０の差込先端２２Ａから基端２２Ｂ側に間隔を隔てて配置されている。
【００２０】
円弧板部２５は、軸方向Ｘに延びていると共に軸方向Ｘからみて円弧状に形成されている（図６参照）。各係止突起２６は、図３に示すように、円弧板部２５の周方向Ｒに沿っていると共に窪み２６Ａを間にして二つの突部２６Ｂが形成されている。各係止突起２７は、角錐状の一つの突部によって形成されており、突部２６Ｂよりも突高さ寸法が大きい。各係止突起２７の周方向Ｒにおける位置は、軸方向Ｘからみて二つの突部２６Ｂの間の位置とされている。
【００２１】
差込部２８の軸方向Ｘに沿った長さ寸法ＬＡ２は、被差込部１６の長さ寸法ＬＡ１と同等かそれよりも短い寸法とされている。雄ネジ部２９の軸方向Ｘに沿った長さ寸法ＬＢ２は、雌ネジ部１７の長さ寸法ＬＢ１と同等かそれよりも短い寸法とされている。差込部２８における一対の係止片部２１Ａ，２１Ｂの外面２５Ｂ間の寸法ＤＢ３（プラグ２０の軸心を通って外面２５Ｂ同士をつなぐ仮想線の長さ寸法）は、一対の係止片部２１Ａ，２１Ｂの差込先端２２Ａ同士が互いに接近することで径寸法ＤＡ３と同じ寸法となる。
【００２２】
なお、係止片部２１Ｂは、係止片部２１Ａと同様に形成されているので、係止片部２１Ａの各構成と同符号を付して詳細な説明を省略する。
【００２３】
連結部２３は、係止片部２１Ａ，２１Ｂの基端２２Ｂに連続した半割板状の基部３１Ａ，３１Ｂと、Ｃ字状に形成された弾性部３２とを有している。基部３１Ａ，３１Ｂの周面間の寸法ＤＢ２（プラグ２０の軸心を通って前記周面同士をつなぐ仮想線の長さ寸法）は、端部内周面１５Ｂの径寸法ＤＡ２と同じ寸法である。
【００２４】
以下、本実施形態に係るコードエンドストッパー１の紐端部２Ａに対する取付手順について説明する。
【００２５】
先ず、紐部材２を紐用開口１１からソケット１０に挿通し、紐端部２Ａを係止片部２１Ａ，２１Ｂの間に挟み込み、係止片部２１Ａ，２１Ｂの差込先端２２Ａ同士を接近させて係止突起２６，２７を紐端部２Ａにくい込ませる。続いて、図４に示すように、差込部２８をプラグ用開口１２からソケット１０の収容部１３に差し込む。このとき、差込部２８における外面２５Ｂがソケット１０の雌ネジ部１７に当接することで係止片部２１Ａ，２１Ｂの接近状態が維持され、これにより、ソケット１０にプラグ２０を螺合する前段階において紐端部２Ａがプラグ２０に係止された状態を保てる。
【００２６】
次に、プラグ２０をソケット１０に更に挿入することでプラグ２０の雄ネジ部２９をソケット１０の雌ネジ部１７に当て、続いてソケット１０をプラグ２０に対して周方向Ｒに回転させて、雄ネジ部２９および雌ネジ部１７を螺合する。この螺合によってプラグ２０が収容部１３に更に深く収容され、連結部２３の基部３１Ａ，３１Ｂがソケット１０の端部内周面１５Ｂに形成される収容空間に収められた際に、図５に示すようにソケット１０およびプラグ２０が螺合によって結合される。このとき、図６に示すように、プラグ２０の差込部２８はソケット１０の被差込部１６に当接して開き抑制されており、係止片部２１Ａ，２１Ｂの円弧状の内面２５Ａは紐端部２Ａの周面に沿って密着して当該紐端部２Ａの径方向の揺動を抑制している。
【００２７】
[本実施形態の効果]
（１）本実施形態では、コードエンドストッパー１は、筒状のソケット１０と、ソケット１０に挿入されて紐端部２Ａを係止するプラグ２０とを備えており、ソケット１０の内周面１５には雌ネジ部１７が形成されており、プラグ２０は、紐端部２Ａを挟み込む一対の係止片部２１Ａ，２１Ｂと、係止片部２１Ａ，２１Ｂを連結した連結部２３とを有しており、係止片部２１Ａ，２１Ｂには、雌ネジ部１７に螺合する雄ネジ部２９が形成されていることを特徴とする。
上記構成を有するため、筒状のソケット１０に紐部材２を挿通し、挿通した紐端部２Ａをプラグ２０の係止片部２１Ａ，２１Ｂの間に挟み込み、この状態でソケット１０に係止片部２１Ａ，２１Ｂを挿入しながら回転して雌ネジ部１７に雄ネジ部２９を螺合させることで、紐端部２Ａを係止する。プラグ２０をソケット１０に螺合によって結合するので、例えばプラグ２０をソケット１０に押し込むだけで嵌着させるものと比べて、小さな力でプラグ２０をソケット１０に結合することができる。このため、コードエンドストッパー１を紐端部２Ａに小さな力で容易に取り付けることができる。
また、プラグ２０がソケット１０に螺合によって結合するので、例えばロープ等によって太く形成された紐部材２が引っ張られても、プラグ２０およびソケット１０の結合状態を維持でき、係止片部２１Ａ，２１Ｂにおける紐端部２Ａの係止状態を維持し続けることができる。
（２）係止片部２１Ａ，２１Ｂに雌ネジ部１７に螺合する雄ネジ部２９が形成されている。
このため、係止片部２１Ａ，２１Ｂにおいて紐端部２Ａを係止し且つ雄ネジ部２９を雌ネジ部１７に螺合することができるので、係止片部２１Ａ，２１Ｂのほかに雄ネジ部２９を有した片部を更に備える必要がなく、構成を簡略化できる。
（３）連結部２３は、係止片部２１Ａ，２１Ｂの基端２２Ｂを連結しており、雄ネジ部２９は、係止片部２１Ａ，２１Ｂの外面２５Ｂのうちソケット１０に対する差込先端２２Ａから前記基端２２Ｂ側に間隔を隔てて配置されている。
このように構成されているため、係止片部２１Ａ，２１Ｂの間に紐端部２Ａを挟み込んだ状態でプラグ２０をソケット１０に差し込むことで、係止片部２１Ａ，２１Ｂによって紐端部２Ａを係止した状態にでき、この状態のままソケット１０をプラグ２０に対して回転させることで、ソケット１０およびプラグ２０を螺合によって結合することができる。このように、ソケット１０およびプラグ２０を螺合によって結合する前段階で紐端部２Ａを係止した状態にできるので、コードエンドストッパー１の紐端部２Ａへの取付作業性を向上することができる。
（４）係止片部２１Ａ，２１Ｂはプラグ２０の軸方向Ｘに直交する断面において円弧状に形成されており、係止片部２１Ａ，２１Ｂには、その内面２５Ａから突出した係止突起２６，２７が形成されている。
このように構成されているため、係止片部２１Ａ，２１Ｂの係止突起２６，２７が紐端部２Ａにくい込みつつ、各係止片部２１Ａ，２１Ｂの円弧状の内面２５Ａが紐端部２Ａの周面に沿って位置して当該紐端部２Ａを囲み込む。このように紐端部２Ａを囲い込むので当該紐端部２Ａが軸方向Ｘに直交する径方向へ揺動することを抑えることができ、コードエンドストッパー１の取付状態をより安定させることができる。
（５）各係止片部２１Ａ，２１Ｂには、その内面２５Ａから突出した複数の係止突起２６，２７が形成されており、複数の係止突起２６，２７は、プラグ２０の周方向Ｒにおける位置が互いに異なっていてもよい。
このように構成されているため、各係止片部２１Ａ，２１Ｂにおける複数の係止突起２６，２７の位置を、プラグ２０の周方向Ｒに沿って異ならせることで、係止突起２６，２７によって係止する紐端部２Ａの周方向領域を拡げることができ、係止状態をより強固にできる。
【００２８】
[変形例]
前記実施形態では、プラグ２０は一対の係止片部２１Ａ，２１Ｂを有しているが、三つ以上有していてもよい。また、雄ネジ部２９は、差込先端２２Ａから差込部２８を隔てて配置されているが、差込部２８の構成を省略し、差込先端２２Ａから基端２２Ｂ側に連続して雄ネジ部２９が形成されていてもよい。この場合、ソケット１０の被差込部１６の構成も省略し、中間内周面１５Ｃ全体にわたって雌ネジ部１７が形成されていてもよい。
前記実施形態では、係止片部２１Ａ，２１Ｂは断面円弧状に形成されているが、これに限られず、例えば矩形平板状に形成されていても、雄ネジ部２９が雌ネジ部１７に螺合可能な構成であればよい。
前記実施形態では、係止片部２１Ａ，２１Ｂに雄ネジ部２９が形成されているが、これに代えてまたは加えて、係止突起２６，２７のない片部を連結部２３からＸ軸方向に突出して設け、この片部に雄ネジ部２９を形成してもよい。
前記実施形態では、各係止片部２１Ａ，２１Ｂは形状が異なる二種類の係止突起２６，２７を有しているが、これに限られず、種々の形状の係止突起を有していても、紐端部２Ａにくい込んで係止可能な構成であればよい。
前記実施形態では、係止突起２６，２７の周方向Ｒにおける位置が互いに異なっているが、周方向Ｒに重なる配置とされていてもよい。
前記実施形態では、連結部２３は、弾性変形可能な構成とされているが、係止片部２１Ａ，２１Ｂ自体が弾性変形して互いに接近可能である場合には、弾性変形を生じない連結部によって係止片部２１Ａ，２１Ｂを連結していてもよい。この場合、例えばフック、ナスカン、リング、バックル等の一端に係止片部２１Ａ，２１Ｂを設けた連結部が挙げられる。
【符号の説明】
【００２９】
１…コードエンドストッパー、１０…ソケット、１１…紐用開口、１２…プラグ用開口、１３…収容部、１５…内周面、１５Ａ…端部内周面、１５Ｂ…端部内周面、１５Ｃ…中間内周面、１６…被差込部、１７…雌ネジ部、２…紐部材、２０…プラグ、２１Ａ，２１Ｂ…係止片部、２２Ａ…差込先端、２２Ｂ…基端、２３…連結部、２５…円弧板部、２５Ａ…内面、２５Ｂ…外面、２６，２７…係止突起、２６Ａ…窪み、２６Ｂ…突部、２８…差込部、２９…雄ネジ部、２Ａ…紐端部、３１Ａ，３１Ｂ…基部、３２…弾性部。
【図１】
0003219233.tif 000003
【図２】
0003219233.tif 000004
【図３】
0003219233.tif 000005
【図４】
0003219233.tif 000006
【図５】
0003219233.tif 000007
【図６】
0003219233.tif 000008